(57)【要約】【課題】付加機能優先設定機能を有する通信端末に関し、通信機能以外の付加機能の動作状況に加え、付加機能に対するユーザの使用状況に応じた通信機能と付加機能との優先設定を可能にする。【解決手段】カメラ機能を有する通信端末において、単位時間当たりのカメラ画像の移動量を測定する動き検出部１４２を追加し、画像移動量が多いときユーザは被写体の探索中であると見做して通信機能優先とし、画像移動量が少ないときユーザはシャッターを切る間際と見做してカメラ機能優先とする。また、ゲーム等のアプリケーションソフトウェア機能を有する通信端末において、単位時間当たりのキーボタンの押下数を測定する押下数計測部１４１を追加し、キーボタンの押下数が設定閾値より多いときユーザは余裕がないと見做してアプリケーションソフトウェア機能優先とし、キーボタンの押下数が少ないときユーザは余裕があると見做して通信機能優先とする。【選択図】      図１
2008245294.tif 000002
【特許請求の範囲】
【請求項１】
通信機能と共にアプリケーションソフトウェア機能を有する通信端末において、
該アプリケーションソフトウェア機能の動作中に、キーボタンの単位時間当たりの押下数を測定するキーボタン押下数測定手段と、
前記キーボタン押下数測定手段により測定された測定値と予め設定された設定閾値を越えているときは前記アプリケーションソフトウェア機能を前記通信機能に対して優先し、前記測定値が予め設定された前記設定閾値を越えていないときは、前記通信機能を前記アプリケーションソフトウェア機能に対して優先する優先設定手段と
を備えたことを特徴とする通信端末。
【請求項２】
前記アプリケーションソフトウェア機能を前記通信機能より優先させている際に着信による呼出しがあると、応答動作を停止させることを特徴とする請求項１に記載の通信端末。
【請求項３】
前記アプリケーションソフトウェア機能を前記通信機能より優先させている際に着信による呼出しがあると、応答することができない旨の通知メッセージを相手端末に送信することを特徴とする請求項１に記載の通信端末。
【請求項４】
前記アプリケーションソフトウェア機能を前記通信機能より優先させて動作させたとき、着信による呼出しに応答することができない旨の通知メッセージを予め通信網に送信することを特徴とする請求項に記載の通信端末。
【発明の詳細な説明】
【技術分野】
【０００１】
本発明は、付加機能優先設定機能を有する通信端末に関し、本来の通信機能と共に通信以外の付加機能を備えた通信端末であって、通信機能と付加機能の何れを優先的に動作させるかを設定する機能を備えた通信端末に関する。
【０００２】
近年、通信端末の中でも、移動電話等に代表される移動体通信は飛躍的に発展し、今後とも加入者数の増加が見込まれている。また、通信種別として従来の音声通信に加え、非音声通信であるデータ通信の利用率が急増しつつある。また、移動端末等の通信端末において、元々の通信機能に加え、ゲームや文書作成などのアプリケーションソフトウェア機能、カメラ、ラジオさらにテレビなどの機能を付加した多機能化が進んでいる。
【０００３】
そのため、通信端末の使用として、本来の通信機能よりそれ以外の付加機能を使用する頻度が高いユーザも少なくはない。それに伴い、通信機能以外の付加機能の動作状況に応じて、通信機能と他の付加機能との優先動作の設定を行うことができる通信端末が提案されている。本発明は、付加機能を有する通信端末における付加機能の優先動作制御に係るものである。
【背景技術】
【０００４】
従来の通信端末の構成例を図６に示す。通信端末は、データ送受信部６０１、制御部６１１、記憶部６１２、マイク部６２１、スピーカ部６２２、キー入力部６２３、画面表示部６２４、ラジオ／テレビ受信部６３１、カメラ部６３２等から構成される。
【０００５】
また、機能優先設定における画面表示部６２４の画面遷移を図７に示す。通信端末が呼出し（着信）の待受け状態のとき、ユーザはキー入力部６２３及び画面表示部６２４を使用して、機能優先設定を行うことができる。機能選択画面７１１は待受け画面７０１より移行する。機能選択画面７１１では、通信機能より優先動作させたい付加機能を選択して設定することができる。
【０００６】
例えば、優先動作させる付加機能としてカメラを選択したとすると、カメラ優先設定画面カメラ７２１へ遷移する。同様に、ゲーム、ラジオ、テレビなど、優先動作させる付加機能の選択に従い、それぞれの優先設定画面に遷移する。各優先設定画面では、各付加機能が動作したときの通信機能に対する優先設定を行うことができる。これらの付加機能の優先設定は、記憶部６１２に保持される。
【０００７】
通信機能以外の付加機能を優先設定すると、該付加機能の動作状況に応じて、呼出し（着信）に対する通信端末の動作が変更される。通信機能以外の付加機能が動作し、通信機能に対する該付加機能の優先設定が有効であるとき、通信端末では、
（ｉ）呼出し（着信）時に網に対して応答しない、
（ii）呼出し（着信）に対して相手端末に応答できない旨を示す通知メッセージを送信する、又は
（iii）予め網に応答できない旨を示す通知メッセージを送信し、呼出し（着信）を行わせない、
などの動作に変更される。これらの動作の変更は、通信端末にて予め選択され設定されるが、ユーザが任意に選択することもできる。
【０００８】
通信機能以外の付加機能が動作し、通信機能に対する付加機能の優先設定が有効であるとき、呼出し（着信）に対して応答しない動作が選択され設定された通信端末の状態遷移を図８に示す。同様に、呼出し（着信）に対して相手端末に応答できない旨を示す通知メッセージを送信する動作が選択され設定された通信端末の状態遷移も図８となる。また、そのときの呼出し（着信）シーケンスを図１１に示す。
【０００９】
通信機能以外の付加機能が動作していないとき、通信端末は通信機能優先状態である（ステップ８０１）。また、通信機能以外の付加機能が開始されると（ステップ８０２）、通信機能に対する優先設定が有効か無効を判定し（ステップ８０３）、該優先設定が無効である場合、通信機能優先状態となる。この状態にて通信端末に呼出し（着信）があると、通信端末は呼出し（着信）に応答する（図１０参照）。
【００１０】
通信機能以外の付加機能が開始され、該付加機能の通信機能に対する優先設定が有効であるとき、付加機能優先状態となる（ステップ８０４）。この状態において、通信端末に呼出し（着信）があると、通信端末はその付加機能の動作を継続し、呼出し（着信）に応答しない（図１１（ａ）参照）。或いは、その付加機能の動作を継続し、相手端末に応答できない旨を示す通知メッセージを送信する（図１１（ｂ）参照）。通信機能以外の付加機能が終了すると（ステップ８２１）、通信機能優先状態となる（ステップ８２２）。
【００１１】
一方、通信機能以外の付加機能が動作し、該付加機能の通信機能に対する優先設定が有効であるとき、予め網に応答できない旨を示す通知メッセージを送信し、呼出し（着信）を行わせない動作が選択・設定された通信端末の状態遷移を図９に示す。また、そのときの呼出し（着信）シーケンスを図１２に示す。
【００１２】
図９に示すように、通信機能以外の付加機能が動作していないとき、通信機能優先状態である（ステップ９０１）。また、通信機能以外の付加機能が開始されると（ステップ９０２）、該付加機能の通信機能に対する優先設定が有効か無効を判定し（ステップ９０３）、通信機能に対する優先設定が無効である場合、通信機能優先状態となる。この状態にて、通信端末に呼出し（着信）があると、通信端末は呼出し（着信）に応答する（図１０参照）。
【００１３】
通信機能以外の付加機能が開始され、かつ該付加機能の通信機能に対する優先設定が有効であるとき、付加機能優先状態となる（ステップ９０４）。このとき、通信端末は網に応答できない旨を示す通知メッセージを送信し（ステップ９０５）、網はその通信端末に対して着信拒否状態となる。この状態にて相手端末が発信しても、網からその通信端末に対する呼出し（着信）動作は行われず、また網から相手端末に対して応答できない旨を示す通知メッセージが送信される（図１２参照）。
【００１４】
通信機能以外の付加機能が終了すると（ステップ９２１）、通信機能優先状態となる（ステップ９２４）。このとき、優先設定が通信機能優先状態であったかどうかを調べ（ステップ９２２）、優先設定が付加機能優先状態であった場合、通信端末は網に応答できる旨を示す解除メッセージを送信し（ステップ９２３）、これにより、網はその通信端末に対して着信許可状態となる。
【００１５】
例えば、通信機能以外の付加機能が動作し、通信機能に対する優先設定が有効であるとき、呼出し（着信）に対して応答しない動作が通信端末にて予め選択・設定されているとする。このとき、例えば図７のカメラ優先設定画面７２１のように優先設定が有効であると、カメラ機能が動作中のときに呼出し（着信）があっても、カメラ機能を停止せず呼出し（着信）に応答しない（図１１（ａ）参照）。一方、ラジオ優先設定画面７２３のように優先設定が無効であると、ラジオ機能が動作中のときに呼出し（着信）があると、ラジオ機能を停止し、呼出し（着信）に応答する（図１０参照）。
【００１６】
本発明に関連する先行技術文献として、入出力処理の負荷に応じて入出力処理を停止させてカメラ撮像を行うことにより、適切なタイミングでカメラ撮像を行うことができるようにしたカメラ付き携帯電話について下記の特許文献１に記載されている。また、音楽再生中に着信が有った場合に音楽の再生を継続するのか、或いは音楽の再生を停止して着信を報知するのかを自動的に切替える通信端末について下記の特許文献２に記載されている。
【特許文献１】特開２００３−１１０６６４号公報
【特許文献２】特開２００２−２２３２８０号公報
【発明の開示】
【発明が解決しようとする課題】
【００１７】
前述のとおり、通信機能以外の付加機能の動作開始に応じて、該付加機能と通信機能との優先設定を任意に切替えることができる通信端末は既に提案されている。しかしながら、従来の優先設定は、通信機能以外の付加機能の動作状況、即ち、該付加機能が動作中か否かに応じて決定される優先設定であり、その付加機能に対するユーザの使用状況を反映した優先設定ではない。例えば、カメラ機能が動作中であっても、シャッターを切る間際には呼出し（着信）に応答したくないが、被写体を探しているときなどのときには、呼出し（着信）に応答したいという優先設定を行うことができない。
【００１８】
また、アプリケーションソフトウェア機能の一つであるゲーム機能が動作中であっても、連続性のあるゲームでは呼出し（着信）に応答したくないが、思考しながら操作するゲームでは思考中のときの呼出し（着信）には応答したいという優先設定を行うことができない。そこで、本発明は、通信機能以外の付加機能の動作状況に加え、その付加機能に対するユーザの使用状況に応じて、通信機能と付加機能との優先設定を行うことができる通信端末を提供することを目的とする。
【課題を解決するための手段】
【００１９】
本発明による付加機能優先設定機能を有する通信端末は、（１）通信機能と共に付加機能としてカメラ機能を有する通信端末において、該カメラ機能の動作中に、カメラ画像の単位時間当たりの移動量を測定する画像移動量測定手段と、前記画像移動量測定手段により測定された測定値と予め設定された設定閾値との大小を比較し、画像移動量の測定値が予め設定された設定閾値を越えているか否かを出力する画像動き検出手段と、前記画像動き検出手段の出力に従い、画像移動量の測定値が予め設定された設定閾値を越えているときは通信機能を優先し、画像移動量の測定値が予め設定された設定閾値を越えていないときにカメラの付加機能を優先する優先設定手段とを備えたものである。
【００２０】
また、（２）通信機能と共に付加機能としてアプリケーションソフトウェア機能を有する通信端末において、アプリケーションソフトウェア機能の動作中に、キーボタンの単位時間当たりの押下数を測定するキーボタン押下数測定手段と、前記キーボタン押下数測定手段により測定された測定値と予め設定された設定閾値との大小を比較し、キーボタン押下数の測定値が予め設定された設定閾値を越えているか否かを出力するキーボタン押下数検出手段と、前記キーボタン押下数検出手段の出力に従い、キーボタン押下数の測定値が予め設定された設定閾値を越えているときはアプリケーションソフトウェアの付加機能を優先し、キーボタン押下数の測定値が予め設定された設定閾値を越えていないときに通信機能を優先する優先設定手段とを備えたものである。
【００２１】
また、（３）前記付加機能を通信機能より優先させて動作させたとき、着信による呼出しに対して、応答動作を停止させることを特徴とする。
また、（４）前記付加機能を通信機能より優先させて動作させたとき、着信による呼出しに対して、応答することができない旨の通知メッセージを相手端末に送信することを特徴とする。
また、（５）前記付加機能を通信機能より優先させて動作させたとき、着信による呼出しに応答することができない旨の通知メッセージを予め通信網に送信することを特徴とする。
【発明の効果】
【００２２】
本発明によれば、カメラ機能を有する通信端末において、単位時間当たりのカメラ画像の移動量を測定する機能を追加し、画像移動量が多いとき、ユーザは被写体の探索中であると見做して通信機能優先とし、画像移動量が少ないとき、ユーザはシャッターを切る間際と見做してカメラ機能優先とする優先設定を行うことにより、カメラ機能の動作状況に加えてユーザによるカメラ機能の使用状況に応じた優先設定が可能となる。
【００２３】
また、ゲームや文書作成などのアプリケーションソフトウェア機能を有する通信端末において、単位時間当たりのキーボタンの押下数を測定する機能を追加し、キーボタンの押下数が設定閾値より多いとき、ユーザは余裕がないと見做してアプリケーションソフトウェア機能優先とし、キーボタンの押下数が少ないとき、ユーザは余裕があると見做して通信機能優先とする優先設定を行うことにより、アプリケーションソフトウェア機能おけるユーザの使用状況に応じた通信機能との優先設定が可能となる。
【００２４】
これにより、ユーザは通信端末の各機能すなわち通信機能及び各付加機能を有効に活用することができる。例えば、通信機能以外の付加機能を優先するために付加機能優先設定を行っていたユーザは、付加機能優先設定の有効時間が短くなるため、従来と比較して呼出し（着信）機会を失う確率が下がり、通信機能を有効に活用することができる。
【００２５】
また、ユーザは付加機能優先設定の操作の手間を省くことができる。例えば、アプリケーションソフトウェア機能の一つであるゲーム機能において、従来そのゲーム種別により付加機能優先設定を手動で切替えていたユーザは、ゲーム種別により変動するキーボタンの使用状況に応じて付加機能と通信機能との優先設定が自動的に切替わるため、優先的に動作させる機能の設定の手間を省くことができる。
【発明を実施するための最良の形態】
【００２６】
本発明による通信端末の構成例を図１に示す。通信端末は、データ送受信部１０１、制御部１１１、記憶部１１２、マイク部１２１、スピーカ部１２２、キー入力部１２３、画面表示部１２４、ラジオ／テレビ受信部１３１、カメラ部１３２の機能部に加え、制御部１１１にキーボタン（キーパッド）の押下数計測部１４１及び動き検出部１４２を追加する。
【００２７】
また、本発明による機能優先設定における画面表示部１２４の画面遷移の例を図２に示す。通信端末が待受け状態のとき、ユーザは、キー入力部１２３及び画面表示部１２４を使用して機能優先設定を行う。機能選択画面２１１は、待受け画面２０１より移行する。
【００２８】
機能選択画面２１１では、通信機能に対して優先的に動作させる付加機能を選択することができる。例えば、カメラ機能を選択すると、カメラ優先設定画面２２１へ遷移する。同様に、ゲーム、ラジオ、テレビなど、選択した付加機能に応じて、それぞれの優先設定画面２２２、２２３、・・・に遷移する。
【００２９】
各機能の優先設定画面２２１、２２２、２２３、・・・では、各付加機能が動作したときの通信機能に対する優先設定及び詳細設定を行うことができる。優先設定は付加機能の動作状況に応じた設定であり、詳細設定はユーザの使用状況に応じた設定である。例えば、カメラ優先設定画面２２１では、詳細設定として単位時間及びその時間当たりのカメラ画像の移動量を設定するものとする。
【００３０】
単位時間は予め移動端末に設定されていてもよい。また、この設定閾値としての移動量は、画像の動きの長さを表す数値でも、動きの量を段階的に表す語句等の表記、例えば「多」、「中」、「少」等の何れかを指定して設定してもよい。移動量が動きの量を段階的に表す語句等の表記のとき、その表記に対応する数値は予め移動端末にて設定される。該設定閾値より画像移動測定値が多い場合、ユーザは被写体の探索中であると見做し、画像移動測定値が設定閾値より少ない場合、ユーザはシャッターを切る間際であると見做す。
【００３１】
ゲーム優先設定画面２２２では、詳細設定として単位時間及びその時間当たりのキーボタン（キーパッド）の押下数を設定閾値として設定するものとする。単位時間は予め移動端末に設定されていてもよい。また、設定閾値は、回数を表す数値でも、回数の多少を段階的に表す語句等の表記、例えば「多」、「中」、「少」等の何れかを指定して設定してもよい。回数の多少を段階的に表す語句等の表記のとき、その表記に対応する数値は予め移動端末にて設定される。
【００３２】
設定閾値よりキーボタンの押下数が多いとき、ユーザはゲーム等に注意を傾け、呼出し（着信）に応答する余裕がないと見做し、設定閾値よりキーボタンの押下数が少ないとき、ユーザは呼出し（着信）に応答する余裕があると見做す。これらの機能優先設定は記憶部１１２に保持される。
【００３３】
本発明の通信端末の状態遷移の第１の実施形態を図３に示す。通信機能以外の付加機能が非動作のとき、通信機能優先状態である（ステップ３０１）。通信機能以外の付加機能が開始され（ステップ３０２）、そのとき通信機能に対する付加機能の優先設定が有効であるか無効であるかを判定し（ステップ３０３）、付加機能の優先設定が無効である場合、通信機能優先状態となる。この状態で通信端末に呼出し（着信）があると、通信端末は呼出し（着信）に応答する（図１０参照）。
【００３４】
通信機能以外の付加機能が開始され、通信機能に対する該付加機能の優先設定が有効であるとき、詳細設定が有効であるか無効であるかを判定し（ステップ３０４）、詳細設定が無効であるとき、付加機能優先状態となる（ステップ３０５）。この状態で通信端末に呼出し（着信）があると、通信端末はその付加機能を停止せず、呼出し（着信）にも応答しない（図１１（ａ）参照）、或いは、その付加機能を停止せず、相手端末に応答できない旨を示す通知メッセージを送信する（図１１（ｂ）参照）。
【００３５】
一方、通信機能以外の付加機能が開始され、通信機能に対する優先設定が有効かつ詳細設定も有効であるとき、他の付加機能が終了したか否かを判定し（ステップ３１１）、他の付加機能が終了していないとき、設定閾値と測定値とを比較する（ステップ３１２）。
【００３６】
例えば、通信機能以外の付加機能がカメラ機能である場合、設定閾値はカメラ優先設定画面２２１の詳細設定、即ちユーザが設定する単位時間及びその時間当たりのカメラ画像の移動量から導かれる。測定値は、制御部１１１の動き検出部１４２が測定するカメラ部１３２からのカメラ画像の移動量である。
【００３７】
また、通信機能以外の付加機能がアプリケーションソフトウェア機能の一つであるゲーム機能である場合、設定閾値はゲーム優先設定画面２２２の詳細設定、即ちユーザが設定する単位時間及びその時間当たりのキーボタンの押下数から導かれる。測定値は、制御部１１１の押下数計測部１４１が測定するキー入力部１２３からのキーボタンの押下数である。
【００３８】
設定閾値と測定値との大小比較の結果、付加機能優先状態となった場合（ステップ３１３）、この状態にて通信端末に呼出し（着信）があると、通信端末は該付加機能の動作を停止せず、呼出し（着信）にも応答しない（図１１（ａ）参照）、又は、該付加機能の動作を停止せず、相手端末に応答できない旨を示す通知メッセージを送信する（図１１（ｂ）参照）。
【００３９】
また、設定閾値と測定値との大小比較の結果、通信機能優先状態となった場合（ステップ３１４）、この状態にて通信端末に呼出し（着信）があると、通信端末は呼出し（着信）に応答する（図１０参照）。設定閾値と測定値との比較（ステップ３１２）は、各優先設定画面においてユーザが設定した単位時間に従い、周期的に行われる。通信機能以外の付加機能が終了（ステップ３２１)すると、通信機能優先状態になる（ステップ３２２）。
【００４０】
本発明の通信端末の状態遷移の第２の実施形態を図４及び図５に示す。通信機能以外の付加機能が非動作のとき、通信機能優先状態である（ステップ４０１）。通信機能以外の付加機能が開始され(ステップ４０２）、そのとき通信機能に対する優先設定が有効であるか無効であるかを判定し（ステップ４０３）、通信機能に対する付加機能の優先設定が無効である場合、通信機能優先状態となる。この状態で通信端末に呼出し（着信）があると、通信端末は呼出し（着信）に応答する（図１０参照）。
【００４１】
通信機能以外の機能が開始され、通信機能に対する該付加機能の優先設定が有効であるとき、詳細設定が有効であるか無効であるかを判定し（ステップ４０４）、詳細設定が無効であるとき、付加機能優先状態となり（ステップ４０５）、通信端末は通信網に応答できない旨を示す通知メッセージを送信し（ステップ４０６）、通信網はその通信端末に対して着信拒否状態となる。この状態にて相手端末が発信しても、通信網からその通信端末に対して呼出し（着信）は行われず、また通信網から相手端末に対して応答できない旨を示す通知メッセージが送信される（図１２参照）。
【００４２】
一方、通信機能以外の付加機能が開始され、通信機能に対する優先設定が有効かつ詳細設定も有効であるとき、他の付加機能が終了したか否かを判定し（ステップ５１１）、他の付加機能が終了していないとき、設定閾値と測定値とを比較する（ステップ５１２）。
【００４３】
例えば、通信機能以外の機能がカメラ機能のとき、設定閾値はカメラ優先設定画面２２１の詳細設定、即ちユーザが設定する単位時間及びその時間当たりのカメラ画像の移動量から導かれる。測定値は、制御部１１１の動き検出部１４２が測定するカメラ部１３２からのカメラ画像の移動量である。
【００４４】
また、通信機能以外の付加機能がアプリケーションソフトウェア機能の一つであるゲーム機能である場合、設定閾値はゲーム優先設定画面２２２の詳細設定、即ちユーザが設定する単位時間及びその時間当たりのキーボタンの押下数から導かれる。測定値は、制御部１１１の押下数計測部１４１が測定するキー入力部１２３からのキーボタンの押下数である。
【００４５】
設定閾値と測定値との大小比較の結果、付加機能優先状態となった場合、このとき、通信機能優先状態から遷移するのか、付加機能優先状態から遷移するのかを識別するために、付加機能優先状態であるか否かを判定し（ステップ５１３）、付加機能優先状態でない場合は、付加機能優先状態に遷移し（ステップ５１４）、通信端末は網に応答できない旨を示す通知メッセージを送信し（ステップ５１５）、網はその通信端末に対して着信拒否状態となる。この状態にて相手端末が発信しても、網からこの通信端末に対して呼出し（着信）は行われず、また網から相手端末に対して応答できない旨を示す通知メッセージが送信される（図１２参照）。
【００４６】
設定閾値と測定値との大小比較（ステップ５１２）の結果、通信機能優先状態となった場合、このとき、通信機能優先状態からの遷移か、付加機能優先状態からの遷移かを識別するために、通信機能優先状態であるか否かを判定し（ステップ５１６）、付加機能優先状態から遷移するのであれば通信優先状態に設定し（ステップ５１７）、該通信端末が網に応答できる旨を示す解除メッセージを送信し（ステップ５１８）、網は該通信端末に対して着信許可状態となる。この状態にて、該通信端末に呼出し（着信）が行われると、該通信端末は呼出し（着信）に応答する（図１０参照）。
【００４７】
ステップ５１２における設定閾値と測定値との比較は、各優先設定画面においてユーザが設定した単位時間又は予め移動端末に設定されている単位時間に従い周期的に行われる。通信機能以外の付加機能が終了すると、通信機能優先状態となる（ステップ４２４）。このとき、付加機能優先状態からの遷移であるか否かを識別するために通信優先状態であるか否かを判定し（ステップ４２２）、付加機能優先状態からの遷移であれば、該通信端末は網に応答できる旨を示す解除メッセージを送信し（ステップ４２３）、網はその通信端末に対して着信許可状態となる。
【００４８】
ここで、一例として、通信機能以外の付加機能が動作し、該付加機能の通信機能に対する優先設定及び詳細設定が有効であるとき、呼出し（着信）に対して応答しない動作が通信端末にて予め選択され設定されているとする。そして、カメラ優先設定画面２２１にて優先設定及び詳細設定を有効にし、詳細設定として単位時間を１秒、その時間当たりのカメラ画像の移動量を２ｃｍに設定されたものとする。
【００４９】
このとき、１秒当たりのカメラ画像の移動量が２ｃｍを越えない場合に、ユーザはシャッターを切る間際と見做され、カメラ機能が動作中に呼出し（着信）があっても、その機能を停止せず呼出し（着信）にも応答しない（図１１（ａ）参照）。１秒当たりのカメラ画像の移動量が２ｃｍを越える場合は、ユーザは被写体を探していると見做され、カメラ機能が動作中に呼出し（着信）があると、その機能を停止し呼出し（着信）に応答する（図１０）。
【００５０】
また、ゲーム優先設定画面２２２にて優先設定及び詳細設定を有効にし、詳細設定として単位時間を１０秒、その時間当たりのキーボタンの押下数を５回に設定されたものとする。このとき、１０秒当たりのキーボタンの押下数が５回を越える場合は、ユーザは連続性のあるゲームを行っており、呼出し（着信）に応答する余裕がないと見做され、ゲーム機能が動作中に呼出し（着信）が行われても、その機能を停止せず呼出し（着信）にも応答しない（図１１（ａ））。１０秒当たりのキーボタンの押下数が５回を越えない場合は、ユーザは思考しながらゲームを行っており、呼出し（着信）に応答する余裕があると見做され、ゲーム機能が動作中に呼出し（着信）があると、その機能を停止し、呼出し（着信）に応答する（図１０）。
【図面の簡単な説明】
【００５１】
【図１】本発明の通信端末の構成例を示す図である。
【図２】本発明の機能優先設定における画面表示部の画面遷移を示す図である。
【図３】本発明の通信端末の状態遷移の第１の実施形態を示す図である。
【図４】本発明の通信端末の状態遷移の第２の実施形態（その１）を示す図である。
【図５】本発明の通信端末の状態遷移の第２の実施形態（その２）を示す図である。
【図６】従来の通信端末の構成例を示す図である。
【図７】従来の機能優先設定における画面表示部の画面遷移を示す図である。
【図８】従来の機能優先設定における通信端末の状態遷移（呼出しに対して不応答）を示す図である。
【図９】従来の機能優先設定における通信端末の状態遷移（呼出しに対して通知メッセージ送信）を示す図である。
【図１０】通常の呼出し（着信）シーケンスを示す図である。
【図１１】機能優先設定が有効のときの呼出しシーケンス（（ａ）無応答、（ｂ）応答不可を相手に通知）を示す図である。
【図１２】機能優先設定が有効のときの呼出しシーケンス（応答不可を通信網に通知）を示す図である。
【符号の説明】
【００５２】
１０１  データ送受信部
１１１  制御部
１１２  記憶部
１２１  マイク部
１２２  スピーカ部
１２３  キー入力部
１２４  画面表示部
１３１  ラジオ／テレビ受信部
１３２  カメラ部
１４１  押下数計測部
１４２  動き検出部
【図１】
2008245294.tif 000003
【図２】
2008245294.tif 000004
【図３】
2008245294.tif 000005
【図４】
2008245294.tif 000006
【図５】
2008245294.tif 000007
【図６】
2008245294.tif 000008
【図７】
2008245294.tif 000009
【図８】
2008245294.tif 000010
【図９】
2008245294.tif 000011
【図１０】
2008245294.tif 000012
【図１１】
2008245294.tif 000013
【図１２】
2008245294.tif 000014